(57)【特許請求の範囲】
【請求項１】
タッチパネルを複数の領域に分割し、
夫々異なる周波数の励起信号を用いることで異なる前記領域を走査する、
走査を速くするためにタッチパネルを走査する方法であって、
大きなＲＣ定数を有する領域に供給される励起信号の周波数は、小さいＲＣ定数を有する領域に供給される励起信号の周波数より低い、方法。
【請求項２】
タッチパネルを複数の領域に分割する際に、
タッチパネルにおいて、直角に配置され、互いに絶縁される駆動電極と検出電極とによって形成される相互キャパシタンスを、対応する領域に配置された複数の相互キャパシタンスを有する各グループを含むように、複数の連続するグループに分割する、請求項１に記載の方法。
【請求項３】
前記励起信号によって走査された後に、容量が変化する対象キャパシタンスを得て、
接触されたキャパシタンスを得るために、相対的に低い周波数の励起信号を用いることによって、前記対象キャパシタンスを走査する、請求項１又は２に記載の方法。
【請求項４】
前記対象キャパシタンスを得る際に、
各相互キャパシタンスの第１の電流電圧を得て、
前記第１の電流電圧と第１の参照電圧とを比較し、
前記第１の参照電圧を第１の閾値分超える第１の電流電圧の前記対象キャパシタンスを得る、請求項３に記載の方法。
【請求項５】
前記接触されたキャパシタンスを得る際に、
各対象キャパシタンスの第２の電流電圧を得て、
各対象相互キャパシタンスの第２の電流電圧と対応する第２の参照電圧とを比較し、
前記対応する第２の参照電圧を第２の閾値分超える第２の電流電圧の、前記接触されたキャパシタンスを得る、請求項４に記載の方法。
【請求項６】
前記第１の参照電圧を前記第１の閾値分超える第１の電流電圧の相互キャパシタンスが無い、又は前記第２の参照電圧を前記第２の閾値分超える第２の電流電圧の相互キャパシタンスが無いと、全ての相互キャパシタンスを走査するステップに戻って手順を進める、請求項５に記載の方法。
【請求項７】
前記接触された相互キャパシタンスが決定された後に、前記接触された相互キャパシタンスが形成された交点の重心をさらに算出する、請求項３乃至６のいずれか１項に記載の方法。
【請求項８】
全ての相互キャパシタンスは少なくとも２つの等しい又は等しくないグループに分割される、請求項２乃至７のいずれか１項に記載の方法。
【請求項９】
各グループの前記第１の参照電圧は以下のステップで設定され、
前記各相互キャパシタンスの第１の初期電圧を得るために、各対応するグループに等しい励起信号を供給し、
前記各グループの全ての前記第１の初期電圧の平均値を算出し、
前記対応するグループの第１の参照電圧として前記平均値を得る、請求項４乃至６のいずれか１項に記載の方法。
【請求項１０】
各グループの前記第１の参照電圧は以下のステップで設定され、
前記各相互キャパシタンスの複数の第１の初期電圧を得るために、各対応するグループに等しい励起信号を複数回供給し、
前記各相互キャパシタンスの複数の第１の初期電圧の平均電圧を算出し、
前記各グループで相互キャパシタンスの全ての平均電圧の平均値を算出し、
前記平均値を各対応するグループの第１の参照電圧とする、請求項４乃至６のいずれか１項に記載の方法。
【請求項１１】
複数の前記第１の初期電圧は以下のステップによって導き出され、
前記対応するグループの駆動電極の各々に励起信号を複数回供給し、
検出電極で誘起された電荷を集め、前記励起信号によって前記駆動電極が駆動させられる度に、前記電荷を１つの第１の初期電圧に変換する、請求項１０に記載の方法。
【請求項１２】
前記各相互キャパシタンスの第２の参照電圧は以下のステップで設定され、
全ての前記相互キャパシタンスに、相対的に低い周波数の励起信号を供給し、前記各相互キャパシタンスの第２の初期電圧を得て、
前記第２の初期電圧を前記各相互キャパシタンスの第２の参照電圧とする、請求項５又は６に記載の方法。
【請求項１３】
前記各相互キャパシタンスの第２の参照電圧は以下のステップで設定され、
全ての前記相互キャパシタンスに、複数回相対的に低い周波数の励起信号を供給し、前記各相互キャパシタンスの複数の第２の初期電圧を得て、
前記各相互キャパシタンスの複数の第２の初期電圧の平均値を算出し、
前記平均値を前記各相互キャパシタンスの第２の参照電圧とする、請求項５又は６に記載の方法。
【請求項１４】
複数の前記第２の初期電圧は以下のステップで導き出され、
駆動電極の各々に複数回相対的に低い周波数の励起信号を供給し、
検出電極で誘起される電荷を集め、相対的に低い周波数の励起信号によって前記駆動電極が駆動させられる度に、前記電荷を１つの第２の初期電圧に変換する、請求項１３に記載の方法。
【請求項１５】
前記各相互キャパシタンスの第１の電流電圧を得る際に、
前記励起信号を前記各相互キャパシタンスの駆動電極に供給し、
検出電極で誘起される電荷を集め、前記電荷を前記各相互キャパシタンスの第１の電流電圧に変換する、請求項４乃至６のいずれか１項に記載の方法。
【請求項１６】
前記各対象相互キャパシタンスの第２の電流電圧を得る際に、
前記相対的に低い周波数の励起信号を前記各対象相互キャパシタンスの駆動電極に供給し、
検出電極で誘起される電荷を集め、前記電荷を前記各対象相互キャパシタンスの第２の電流電圧に変換する、請求項５又は６に記載の方法。
【発明の詳細な説明】
【技術分野】
【０００１】
本発明は、概して静電容量方式のタッチパネルに関し、特に投影型静電容量方式のタッチパネルを走査するための方法に関する。
【背景技術】
【０００２】
静電容量方式のタッチパネルは、投影型静電容量方式のタッチパネルと、表面静電容量方式のタッチパネルと、に分けられる。異なるタッチパネルは、異なる構成に基づいて異なる原理を採用している。従来の投影型静電容量方式のタッチスクリーンの分解図である図１に示すように、タッチパネル１は、保護層１１、基板１２、投影型静電容量方式のタッチパネル１３及び制御装置１４を含む。保護層１１は、略透明であり、投影型静電容量方式のタッチパネル１３の一方の面上に配置されている。投影型静電容量方式のタッチパネル１３は、基板１２に貼り付けられた投影型静電容量方式のタッチパネル１３の他方の面が当該基板１２上に配置されている。制御装置１４は、投影型静電容量方式のタッチパネル１３を駆動するために、投影型静電容量方式のタッチパネル１３に電気的に接続されている。
【０００３】
従来の投影型静電容量方式のタッチパネルの平面図である図２に示すように、投影型静電容量方式のタッチパネル１３は、直角に配置された導電性電極の２つの層を含む。導電性電極の一方の層は、第１軸（検出電極Ｘによって規定）に沿って平行に配置されたＭ（Ｍ≧１）の第１軸電極を含む。導電性電極の他方の層は、第２軸（駆動電極Ｙによって規定）に沿って平行に配置されたＮ（Ｎ≧１）の第２軸電極を含む。直角に配置され、互いに絶縁された２つの層は、Ｍ×Ｎの交点を有する電極マトリックスを形成する。制御装置１４は、駆動電極Ｙに接続されたパルス生成器と、検出電極Ｘに接続された積分器と、を含む。
【０００４】
従来の投影型静電容量方式のタッチパネルの動作原理を図３に示している。相互キャパシタンスを走査する方法は、以下のステップを含む。ステップ（１）において、パルス生成器は、駆動電極Ｙを充電するために、一定の低周波パルス励起信号を生成する。ステップ（２）において、積分器は、駆動電極Ｙと検出電極Ｘとの間の交点で複数の検出電極Ｘに誘起された電荷を集める。当該電荷に基づいて、制御装置は上述した交点でのキャパシタンスの参照電圧を算出する。そして、他の駆動電極Ｙは、一つずつパルス生成器によって充電され、駆動電極Ｙと検出電極Ｘとの間の全ての交点のキャパシタンスの参照電圧が上述の方法によって算出される。
【０００５】
タッチパネルが接触されると、上述の方法によって各交点で各相互キャパシタンスの電流電圧を得るために、連続的な低周波パルス励起信号を供給することによって、全ての相互キャパシタンスが走査され、電流電圧の夫々は対応する参照電圧と比較される。交点において電流電圧が対応する参照電圧を閾値分超えると、その時の交点は接触エリアに配置されているとみなし、接触エリアに配置された交点の重心を算出することによって接触点は決定される。
【０００６】
一定の周波数の励起信号を供給することによって、全ての相互キャパシタンスを走査する従来の走査方法は、いくつかの問題を生じる。各相互キャパシタンスから積分器までの距離は異なり、それ故に、積分器から特定の交点までの１つの検出電極の長さが、積分器から他の特定の交点までの他の検出電極の長さと異なることは、交差から積分器までの検出電極の特定の長さの抵抗値が、検出電極の他の長さの抵抗値とは異なる場合があることを意味する。そのため、各交点のキャパシタンスは、基本的に等しく、それ故に各相互キャパシタンスのＲＣ定数（抵抗値と容量値との積）はそれに応じて異なる場合がある。ＲＣ定数は相互キャパシタンスが積分器に近づくにつれて小さくなり、ＲＣ定数は相互キャパシタンスが積分器に遠ざかるにつれて大きくなる。大型のタッチパネルのために、第１の駆動電極Ｙで形成された相互キャパシタンスのＲＣ定数は、最終の駆動電極Ｙで形成された相互キャパシタンスのＲＣ定数から大きく異なる。全ての相互キャパシタンスがある一定の相対的に高い周波数の励起信号によって走査されると、電圧は異なるＲＣ定数を有する相互キャパシタンス間で大きく異なり、走査精度に影響を及ぼす。走査精度を保証するために、励起信号の周波数は差を小さくするために低くされるが、低い走査周波数は低い走査速度及び長い走査時間を意味する。
【０００７】
従って、一般的な走査方法の上述した欠点を解消する投影型静電容量方式のタッチパネルのための走査方法を提供することが望まれる。
【発明の概要】
【課題を解決するための手段】
【０００８】
投影型静電容量方式のタッチパネルを走査する方法は、異なる相互インダクタンスグループに異なる周波数励起信号を提供することによって、少なくとも２つのグループに分けられる相互キャパシタンスを走査し、大きなＲＣ定数を有する相互キャパシタンスグループに供給される励起信号の周波数は、小さなＲＣ定数を有する相互キャパシタンスグループに供給される励起信号の周波数より低く、各相互キャパシタンスの第１の電流電圧を得て、第１の参照電圧を第１の閾値分超える第１の電流電圧の相互キャパシタンスを得るために、第１の電流電圧と第１の参照電圧とを比較し、相対的に低い周波数の励起信号を供給することによって、対象相互キャパシタンスを走査し、各対象相互キャパシタンスの第２の電流電圧を得て、対応する第２の参照電圧を第２の閾値分超える第２の電流電圧の、接触された相互キャパシタンスを得るために、各対象相互キャパシタンスの第２の電流電圧と対応する第２の参照電圧とを比較する。
【０００９】
つまり、本発明の方法は、ＲＣ定数に基づいて異なる相互キャパシタンスグループを走査するために異なる周波数の励起信号を用い、異なるＲＣ定数によって生じる相互キャパシタンス間の電圧の差を低減することができ、さらに正確な走査を実現する。そのため、小さいＲＣ定数を有する相互キャパシタンスが高い周波数の励起信号によって走査されるので、対象相互キャパシタンスのみが低い周波数の励起信号によって走査され、走査時間が大きく削減され、言い換えると、走査速度がとても速い。上述した利点によれば、当該方法は特に中間サイズあるいは大きなサイズの投影型静電容量方式のタッチパネルを走査することに好適である。
【図面の簡単な説明】
【００１０】
【図１】図１は一般的な投影型静電容量方式のタッチパネルの分解図を示している。
【図２】図２は一般的な投影型静電容量方式のタッチパネルの平面図を示している。
【図３】図３は投影型静電容量方式のタッチパネルの動作原理を示している。
【図４】図４はどのように相互キャパシタンスグループが異なる周波数励起信号を与えられるかを示している。
【図５】図５は全ての相互キャパシタンスが第２の参照電圧を設定する間に等しい周波数の励起信号によって走査されることを示している。
【図６】図６は接触される投影型静電容量方式のタッチパネルの平面図を示している。
【図７】図７は本発明に係る投影型静電容量方式のタッチパネルを走査するための方法のフローチャートである。
【発明を実施するための形態】
【００１１】
本発明の詳細な説明は以下の形態に述べられるが、本発明のスコープを限定することを意図するものではなく、他の応用例に適用することができる。図面は詳細に示されており、開示された各要素の数は開示されたものより多く又は少なくとも良いが、明らかに制限を超えた量を備えたこれらの要素は除外する。
【００１２】
図６は、本発明の実施の形態に係る投影型静電容量方式のタッチパネルの平面図である。タッチパネル１３は、第１の軸に沿って平行に配置されたＭ（Ｍ≧１）の検出電極Ｘと、第２の軸に沿って平行に配置されたＮ（Ｎ≧１）の駆動電極Ｙと、を含む。駆動電極Ｙと検出電極Ｘとは、直交するように配置され、互いに絶縁されて、駆動電極Ｙと検出電極Ｘとの間の交点でＭ×Ｎの相互キャパシタンスを形成する。接触エリアは、図６に示されるように、複数の交点を備える。概ね電極はＩＴＯ（Ｉｎｄｉｕｍ  ｔｉｎ  Ｏｘｉｄｅ）導体で作られている。タッチパネル１３に電気的に接続される制御装置（不図示）は、パルス生成器と、積分器と、を含み、パルス生成器は駆動電極Ｙの一端に接続し、積分器は検出電極Ｘの一端に接続している。
【００１３】
１つの駆動電極の相互キャパシタンスから積分器までの距離は、他の駆動電極の相互キャパシタンスからの距離と異なる。つまり、１つの駆動電極の相互キャパシタンスのＲＣ定数は、他の駆動電極の相互キャパシタンスのＲＣ定数と異なる。本発明の走査の速度を速くするためのタッチパネルの走査の方法は、タッチパネルを複数の領域に分割し、そして、それぞれ異なる周波数の励起信号を用いることによって、異なる領域を走査する。図７は、本発明に係る投影型静電容量方式を走査するための方法のフローチャートである。当該方法は以下のステップを含む：
ステップ１１０：異なる相互キャパシタンスグループに異なる周波数の励起信号を供給することによって、少なくとも２つのグループに分割された相互キャパシタンスを走査し、大きいＲＣ定数を有する相互キャパシタンスグループに供給される励起信号の周波数は、小さいＲＣ定数を有する相互キャパシタンスグループに供給される励起信号の周波数に比べて低い。キャパシタンスが励起信号によって駆動されている間、ＲＣ定数が変化しない状態が維持された場合、励起信号の周波数が増加するに従って、励起信号は減衰し、周波数が変化しない状態が維持された場合、キャパシタンスのＲＣ定数が増加するに従って、励起信号も減衰する。安定した電圧変化、及びより速い走査速度を維持するために、当該方法は異なる相互キャパシタンスグループに異なる周波数励起信号を供給する。
ステップ１２０：互いの相互キャパシタンスの第１の電流電圧を得る。第１の電流電圧は、相互キャパシタンスの現在の状態を記憶するために、さらに相互キャパシタンスが以下のステップで接触されたか否かを決定するために用いられる。
ステップ１３０：第１の参照電圧を第１の閾値分超える第１の電流電圧の対象相互キャパシタンスを得るために、第１の電流電圧と第１の参照電圧とを比較する。第１の参照電圧は、相互キャパシタンスの一般的な通常状態を意味し、また第１の電流電圧と第１の参照電圧との比較は、相互キャパシタンスが接触されたか否かを示す。したがって、電圧変化は、常に存在し、しかし、いくつかの通常のバリエーションは排除され、それ故に第１の閾値の値が用いられる。
ステップ１４０：相対的に低い周波数の励起信号を供給することによって、対象相互キャパシタンスを走査する。上述のステップによって精選された後、接触された可能性のある相互キャパシタンスの数は、即ち、対象キャパシタンスはとても少ない数に削減されている。今、対象キャパシタンスを走査するために、相対的に低い周波数の励起信号を供給することによって、全体の走査期間中の走査速度はほとんど変化せず、且つ走査の正確性が保証される。
ステップ１５０：各対象相互キャパシタンスの第２の電流電圧を得る。第２の電流電圧は、対象キャパシタンスの現在の状態を記憶するため、及び対象キャパシタンスが以下のステップで接触されたか否かを決定するために用いられる。
ステップ１６０：第２の参照電圧を第２の閾値分超えた第２の電流電圧の、接触された相互キャパシタンスを得るために、各対象相互キャパシタンスの第２の電流電圧と、対応する第２の参照電圧と、を比較する。第２の参照電圧は、対象キャパシタンスの一般的な通常状態を意味し、また、第２の電流電圧と第２の参照電圧との比較は、対象キャパシタンスが本当に接触されたか否かを示す。
【００１４】
好ましい形態は、１つの電極の幅は指の寸法の略半分であり、そのため、タッチパネルが接触された際に、接触された少なくとも１つの検出電極Ｘと１つの駆動電極Ｙとを有する。一般的には、接触される２又は３つの検出電極Ｘと駆動電極Ｙとを有し、そのような接触が感知できることによって、電圧変化が生じる。当該方法は、タッチパネルが接触されるまでに、周期的にタッチパネル全体を走査する。図７に示すように、当該方法は、第１の電流電圧が第１の参照電圧を第１の閾値分超えたか否か、そして第２の電流電圧が第２の参照電圧を第２の閾値分超えたか否か、を決定する。異なる結果に基づいて、異なる処理が実行される。第１の参照電圧を第１の閾値分超える第１の電流電圧の相互キャパシタンスがない、又は第２の参照電圧を第２の閾値分超える第２の電流電圧の相互キャパシタンスがないと、当該方法は全ての相互キャパシタンスの走査を繰り返す。
【００１５】
当該方法はまた、接触された相互キャパシタンスが決定された後に、接触された相互キャパシタンスが形成されている交点の重心を計算する。このステップは、接触された相互キャパシタンスがグループ分けされた接触エリアに対する接触点を決定する。接触エリアにおいて、座標（Ｘａ、Ｙａ）、（Ｘｂ、Ｙｂ）、（Ｘｃ、Ｙｃ）及び（Ｘｄ、Ｙｄ）を有する４つの交点で４つの相互キャパシタンスがあると仮定すると、対応して誘起される電圧はＵａ、Ｕｂ、Ｕｃ及びＵｄである。すなわち、接触エリアの重心（Ｘ、Ｙ）は、以下の式によって算出される。
Ｘ＝（Ｘａ＊Ｕａ＋Ｘｂ＊Ｕｂ＋Ｘｃ＊Ｕｃ＋Ｘｄ＊Ｕｄ）／（Ｕａ＋Ｕｂ＋Ｕｃ＋Ｕｄ）、
Ｙ＝（Ｙａ＊Ｕａ＋Ｙｂ＊Ｕｂ＋Ｙｃ＊Ｕｃ＋Ｙｄ＊Ｕｄ）／（Ｕａ＋Ｕｂ＋Ｕｃ＋Ｕｄ）
【００１６】
全ての相互キャパシタンスは、積分器に対するＲＣ定数に基づき少なくとも２つのグループに分割されている。中間サイズのタッチパネルにおいて、グループの数は少なくすることができ、相互キャパシタンスを多く有する大きいサイズのタッチパネルにおいても、全ての相互キャパシタンスは２以上に分割されている。相互キャパシタンスは、等分又は非等分されることができ、等分することに関して、全ての相互キャパシタンスは、等しい数の相互キャパシタンスを有するグループを形成するために、第２の軸に沿った複数本の軸に基づいて分けられる。非等分することに関して、全ての相互キャパシタンスは、異なる数の相互キャパシタンスを有するグループを形成するために、第２の軸に沿った複数本の軸に基づいて分けられる。図４に示すように、好ましい形態において、投影型静電容量方式のタッチパネル１３における全ての相互キャパシタンスは、３つのグループに分割されている。３つのグループは、高いＲＣ定数を有する第１のグループ２１、低いＲＣ定数を有する第３のグループ２３、及び中間のＲＣ定数を有する第２のグループ２２を含む。
【００１７】
各グループの第１の参照電圧は、以下のステップによって設定することができる：異なる周波数を有する励起信号は、各相互キャパシタンスの第１の初期電圧を得るために、各グループに供給され、即ち高い周波数の励起信号は、ＲＣ定数が低いキャパシタンスグループに供給され、低い周波数の励起信号は、ＲＣ定数が高いキャパシタンスグループに供給される。好ましい形態において、第１のグループ２１の相互キャパシタンスは、３００ＫＨｚの励起信号によって走査され、第２のグループ２２の相互キャパシタンスは、６００ＫＨｚの励起信号によって走査され、さらに第３のグループ２３の相互キャパシタンスは、１．２ＭＨｚの励起信号によって走査される。その時の各グループの全ての第１の初期電圧の平均値が算出され、当該平均値は各対応するグループの第１の参照電圧としてみなされる。例えば、第１のグループ２１の全ての第１の初期電圧の平均値は、第１のグループ２１の第１の参照電圧としてみなされ、第２のグループ２２の全ての第１の初期電圧の平均値は、第２のグループ２２の第１の参照電圧としてみなされ、第３のグループ２３の全ての第１の初期電圧の平均値は、第３のグループ２３の第１の参照電圧としてみなされる。より安定、且つ正確な第１の参照電圧を得るために、制御装置は、各相互キャパシタンスの複数の第１の初期電圧を得るために、複数回全ての相互キャパシタンスを走査し、その時の各相互キャパシタンスの複数の第１の初期電圧の平均電圧を算出し、各対応するグループの第１の参照電圧として複数の第１の初期電圧の平均電圧の平均値を得る。
【００１８】
第１のグループ２１における全ての相互キャパシタンスを走査するための１つの方法は、第１に、積分器に対して、最も遠い１／３の駆動電極Ｙ（駆動電極Ｙの全ての個数がｎと仮定すれば、ｎの２／３番目からｎ番目の電極）に充電するために、３００ＫＨｚの励起信号を供給し、第２に、駆動電極Ｙと検出電極Ｘとの交点における検出電極Ｘで誘起される電荷を集め、その時の電荷を第１の初期電圧に変換する。相互キャパシタンスの他の２つのグループは、同一の方法によって走査することができるが、異なる周波数励起信号、即ち第２のグループ２２に６００ＫＨｚの励起信号を、第３のグループ２３に１．２ＭＨｚの励起信号を供給しても良い。
【００１９】
図５は、第２の参照電圧を設定する間に、全ての相互キャパシタンスが等しい周波数励起信号によって走査されることを示している。各相互キャパシタンスのための第２の参照電圧の設定は：相対的に低い周波数の励起信号が全ての相互キャパシタンスに供給され、そして各相互キャパシタンスの第２の初期電圧が導き出され、好ましい形態において、励起信号が３００ＫＨｚである。第２の初期電圧は、各対応する相互キャパシタンスの第２の参照電圧としてみなされる。より安定、且つ正確な第２の参照電圧を得るために、制御装置は、各相互キャパシタンスの複数の第２の初期電圧を得るために、複数回全ての相互キャパシタンスを走査し、その時の各相互キャパシタンスの複数の第２の初期電圧の平均電圧を算出し、その時の複数の第２の初期電圧の平均電圧の平均値は各対応するグループの第２の参照電圧としてみなされる。
【００２０】
全ての相互キャパシタンスを走査するための１つの方法は、第１に全ての駆動電極Ｙを充電するために３００ＫＨｚの励起信号を供給し、駆動電極Ｙと検出電極Ｘとの間の交点における検出電極Ｘで電荷が誘起され、その時の電荷を第２の初期電圧に変換する。
【００２１】
全ての相互キャパシタンスは、ＲＣ定数が低いキャパシタンスグループに高い周波数の励起信号を供給することによって走査され、ＲＣ定数が高いキャパシタンスグループに低い周波数の励起信号を供給することによって走査される。その時の各相互キャパシタンスの第１の電流電圧を得て、第１の参照電圧を第１の閾値分超える第１の電流電圧の対象相互キャパシタンスを得るために、第１の電流電圧と第１の参照電圧とを互いに比較する。好ましい形態において、第１のグループ２１の相互キャパシタンスは、３００ＫＨｚの励起信号によって走査され、第２のグループ２２の相互キャパシタンスは、６００ＫＨｚの励起信号によって走査され、第３のグループ２３の相互キャパシタンスは、１．２ＭＨｚの励起信号によって走査される。
【００２２】
相互キャパシタンスの電圧変化は、高い周波数の励起信号を相互キャパシタンスに供給している間に、接触又は駆動電極Ｙへの不十分な充電によって生じる場合があり、第１の参照電圧を第１の閾値分超える第１の電流電圧の相互キャパシタンスが対象相互キャパシタンスであるとみなされ、接触された相互キャパシタンスでない場合がある。対象相互キャパシタンスは、接触された相互キャパシタンスを決定するためにさらに分析されるべきである。対象相互キャパシタンスの数が全ての数よりはるかに少なくなっているので、相対的に低い周波数を供給することで対象相互キャパシタンスを走査することは、走査の正確性を保証することができ、走査速度に大きな影響を与えない。
【００２３】
全ての相互キャパシタンスは、相対的に低い周波数の励起信号を駆動電極Ｙに供給することによって走査される。第１に、３００ＫＨｚの励起信号が対象相互キャパシタを介して全ての駆動電極Ｙを充電するために供給され、第２に、駆動電極Ｙと検出電極Ｘとの間の交点における検出電極Ｘで誘起された電荷が集められ、そして、電荷が第２の電流電圧に変換される。対応する第２の参照電圧を第２の閾値分超えた第２の電流電圧の相互キャパシタンスが接触されたキャパシタである。それ故に、充電が不十分な相互キャパシタンスは、第２の閾値を設定することで排除される。
【００２４】
例として、５７×４２（５７の駆動電極と４２の検出電極）のサイズを有する投影型静電容量方式のタッチパネルを得て、３００ＫＨｚ、６００ＫＨｚ及び１．２ＭＨｚの周波数を夫々有する３種類の励起信号がタッチパネルを走査するために供給され、以下のテストデータが結果として生じ：
【表１】
0005555328.tif 000002
表における電圧値は駆動電極を指定するために対応する励起信号を供給することによって得られる。電圧の許容は、３００ＫＨｚ、６００ＫＨｚ及び１．２ＭＨｚの励起信号の夫々を供給する間、３１％、７６．７％及び１００％であり、低い周波数の励起信号はより安定し、正確な電圧変化を提供する。
【００２５】
本発明の好ましい形態において、当該方法は、全ての相互キャパシタンスを３つのグループに分割し、各グループの相互キャパシタンスのＲＣ定数に基づいて異なるグループに異なる周波数の励起信号を供給し、電圧は異なるグループにおいて近づき、それは電圧変化が安定することを意味する。対象相互キャパシタンスの数は、全ての数よりはるかに少なくなっているので、相対的に低い周波数を供給することで対象相互キャパシタンスを走査することは、正確な走査を保証することができ、走査速度に大きな影響を与えない。本発明に係る好ましい形態の方法におけるトータルの走査時間は、一定の３００ＫＨｚの励起信号を供給することによって従来型の走査方法を用いた時間の１／３を削減する。
【００２６】
本発明は構造上の特徴及び／又は方法論的な動作を明細書において述べ、添付の特許請求の範囲で規定される本発明は、述べられた明細書の特徴や動作に必ずしも限定されるものではなく、明細者の特徴や動作は請求項に係る発明を実行する例示を述べている。
【００２７】
＜付記１＞
タッチパネルを複数の領域に分割し、
夫々異なる周波数の励起信号を用いることで異なる前記領域を走査する、
走査を速くするためにタッチパネルを走査する方法。
＜付記２＞
タッチパネルを複数の領域に分割する際に、
タッチパネルにおいて、直角に配置され、互いに絶縁される駆動電極と検出電極とによって形成される相互キャパシタンスを、対応する領域に配置された複数の相互キャパシタンスを有する各グループを含むように、複数の連続するグループに分割する、付記１に記載の方法。
＜付記３＞
大きなＲＣ定数を有する領域に供給される励起信号の周波数は、小さいＲＣ定数を有する領域に供給される励起信号の周波数より低い、付記１又は２に記載の方法。
＜付記４＞
前記励起信号によって走査された後に、容量が変化する対象キャパシタンスを得て、
接触されたキャパシタンスを得るために、相対的に低い周波数の励起信号を用いることによって、前記対象キャパシタンスを走査する、付記１乃至３のいずれかに記載の方法。
＜付記５＞
前記対象キャパシタンスを得る際に、
各相互キャパシタンスの第１の電流電圧を得て、
前記第１の電流電圧と第１の参照電圧とを比較し、
前記第１の参照電圧を第１の閾値分超える第１の電流電圧の前記対象キャパシタを得る、付記４に記載の方法。
＜付記６＞
前記接触されたキャパシタンスを得る際に、
各対象キャパシタンスの第２の電流電圧を得て、
各対象相互キャパシタンスの第２の電流電圧と対応する第２の参照電圧とを比較し、
前記対応する第２の参照電圧を第２の閾値分超える第２の電流電圧の、前記接触されたキャパシタンスを得る、付記５に記載の方法。
＜付記７＞
前記第１の参照電圧を前記第１の閾値分超える第１の電流電圧の相互キャパシタンスが無いと、全ての相互キャパシタンスを走査するステップに戻って手順を進める、付記６に記載の方法。
＜付記８＞
前記第１の参照電圧及び前記第２の参照電圧は、経験値に基づいて示される付記６又は７に記載の方法。
＜付記９＞
全ての前記相互キャパシタンスが３つの等しいグループに分割され、前記第１の参照電圧を得るために各グループに供給される前記励起信号の周波数は、前記ＲＣ定数の大小に基づいて、３００ＫＨｚ、６００ＫＨｚ及び１．２ＭＨｚに設定され、前記第２の参照電圧を得るために、全ての前記３つのグループに供給される前記励起信号の周波数は、３００ＫＨｚに設定され、
前記第１の電流電圧を得るために、各グループに供給される前記励起信号の周波数は、前記ＲＣ定数の大小に基づいて、３００ＫＨｚ、６００ＫＨｚ及び１．２ＭＨｚに設定され、
前記第２の電流電圧を得るために、全ての前記相互キャパシタンスに供給される励起信号の周波数は、３００ＫＨｚに設定される、付記６又は７に記載の方法。
【図１】
0005555328.tif 000003
【図２】
0005555328.tif 000004
【図３】
0005555328.tif 000005
【図４】
0005555328.tif 000006
【図５】
0005555328.tif 000007
【図６】
0005555328.tif 000008
【図７】
0005555328.tif 000009